(57)【要約】【課題】地組織を編成する地筬より編機前側に柄筬を設けた多枚筬経編機により編成され、今までになく柄糸が高く立体的に浮き上がる浮柄を設けた、意匠性に優れた経編レース地を提供する。【解決手段】地組織１０を形成する地糸より経編レース地表側に配される、立体浮柄用糸２と可溶性芯糸３により形成される立体浮柄部を設ける。立体浮柄部では、立体浮柄用糸２は、可溶性芯糸３より経編レース地表側に配されて可溶性芯糸３の上を横振りし押さえつけながら地組織１０に編み込まれる。可溶性芯糸３は、地組織１０に直接編み込まれることなく立体浮柄用糸２にて上から押さえつけられることで経編レース地に保持される。可溶性芯糸３は編成後に溶解除去する。【選択図】図４
2010106411.tif 000002
【特許請求の範囲】
【請求項１】
地組織を編成する地筬より編機前側に柄筬を設けた多枚筬経編機により編成される経編レース地において、地組織より経編レース地表側に配される立体浮柄用糸と可溶性芯糸により形成される立体浮柄部を少なくとも一部に有してなり、前記立体浮柄部では、前記立体浮柄用糸は、前記可溶性芯糸より経編レース地表側に配されて該可溶性芯糸の上を横振りし押さえつけながら地組織に編み込まれ、前記可溶性芯糸は、地組織に直接編み込まれることなく前記立体浮柄用糸にて上から押さえつけられることで経編レース地に保持される状態となり、編成後に前記可溶性芯糸が溶解除去されてなることを特徴とする経編レース地。
【請求項２】
前記立体浮柄部の下側で柄糸を横振り挿入してなる請求項１に記載の経編レース地。
【請求項３】
前記立体浮柄部の一部に、溶融温度が１８０℃以下である熱融着性の繊維を含む糸を編み込んでなる請求項１又は２に記載の経編レース地。
【請求項４】
地組織を編成する地筬より編機前側に柄筬を設けた多枚筬経編機により編成される経編レース地の製造方法において、地組織より経編レース地表側に配する立体浮柄用糸と可溶性芯糸による立体浮柄部を経編レース地の少なくとも一部に形成し、前記立体浮柄部では、前記立体浮柄用糸は、前記可溶性芯糸より経編レース地表側に配して該可溶性芯糸の上を横振りし押さえつけながら地組織に編み込まれる状態とし、前記可溶性芯糸は、地組織に直接編み込まれることなく前記立体浮柄用糸にて上から押さえつけられることで経編レース地に保持される状態とし、編成後に前記可溶性芯糸を溶解除去することを特徴とする経編レース地の製造方法。
【発明の詳細な説明】
【技術分野】
【０００１】
本発明は、主に女性用下着やアウター等の各種衣料に使用され、編地の基布となる地編の組織である地組織を編成する地筬よりも編機前側に柄筬を設ける多枚筬経編機により編成されてなる経編レースと、その製造方法に関するものである。
【背景技術】
【０００２】
柄糸を鎖編やチュール編などの地組織より経編レース地表側に配し、柄糸が浮いたような浮柄の経編レース地があり、地組織を編成する地筬より編機前側に柄筬を設ける多枚筬経編機により編まれる。このような地組織より経編レース地表側に浮く柄糸のことを浮柄糸という。
【０００３】
従来より、浮柄を形成するにはいくつかの編成方法がある。一般的な方法としては、浮柄糸がオーバーラップし編目を形成した後、落下板を使うなどして編目を外すことで挿入組織に変わり（フォールプレートラップし）、地組織に編み込まれる方法がある（第１の方法）。また、別の方法としては、浮柄糸がオーバーラップし編目を形成して、そのまま地組織に編み込まれる方法がある（第２の方法）。
【０００４】
更に別の方法としては、本出願人が出願している特願２００８−５７２９４号の方法であり、地組織に直接編み込まれることのない特殊浮柄用糸が、地組織に編み込まれる浮柄糸である保持用糸にて上から押さえつけられることで、経編レースに保持される方法である（第３の方法）。
【発明の開示】
【発明が解決しようとする課題】
【０００５】
従来の第１及び第２の方法は、図１０に示すような従来の浮柄部６を形成する方法である。従来の第１の方法は、図１１に示すように、浮柄糸９にて地糸４により形成される地組織の上を単に横振りしながらフォールプレートラップし編み込まれるものであり、図１２に示すように、浮柄糸９は地組織１０からあまり高く浮いておらずほぼ平坦であり立体感に乏しい。従来の第２の方法も、編目を形成するため図１１とは異なるが、外観は図１２のようになる。
【０００６】
また、従来の第３の方法は、図１３に示すような特殊浮柄部１１を形成する方法であって、図１４に示すように地組織を形成する地糸４に直接編み込まれない特殊浮柄用糸１２を、地糸４に編み込まれる保持用糸１３で上から押さえつけるものである。図１５に示すように、特殊浮柄用糸１２が太い分だけ特殊浮柄用糸１２と保持用糸１３は地組織１０から盛り上がるが、太い糸でなければ立体感に乏しく、コード糸などの特殊でコストの掛かる糸を使用しなくては立体感を出せず、見た目が硬質になりやすい。
【課題を解決するための手段】
【０００７】
本発明は上記に鑑みてなしたものであり、可溶性糸と可溶性糸の上を横振りする浮柄糸により、今までになく浮柄糸が高く浮き、やわらかく膨らんでいるような立体感あふれる浮柄の経編レース地とその製造方法を提供するものである。
【０００８】
本発明に係る経編レース地は、地組織を編成する地筬より編機前側に柄筬を設けた多枚筬経編機により編成される経編レース地において、地組織より経編レース地表側に配される立体浮柄用糸と可溶性芯糸により形成される立体浮柄部を少なくとも一部に有してなり、前記立体浮柄部では、前記立体浮柄用糸は、前記可溶性芯糸より経編レース地表側に配されて該可溶性芯糸の上を横振りし押さえつけながら地組織に編み込まれ、前記可溶性芯糸は、地組織に直接編み込まれることなく前記立体浮柄用糸にて上から押さえつけられることで経編レース地に保持される状態となり、編成後に前記可溶性芯糸が溶解除去されてなることを特徴とする。
【０００９】
これにより、本発明の立体浮柄部では、立体浮柄用糸が可溶性芯糸の上を横振りしその後可溶性芯糸を溶解除去するため、立体浮柄用糸が高く盛り上がり従来になく立体的な柄を表現できる。可溶性芯糸は立体浮柄用糸を盛り上げるのが目的であるので、従来の浮柄糸のように地組織に直接編み込まれるのではなく、従来の第３の方法の特殊浮柄用糸と同じように地組織に直接編み込まれずに立体浮柄用糸（従来の第３の方法では保持用糸にあたる）にて上から押さえつけられる状態の方が、可溶性芯糸に強い張力を掛けることができ、立体浮柄用糸を高く盛り上げやすい。可溶性芯糸は簡単に抜けてしまう状態であり、また、見た目や触ったときの感触が悪いため編成後に溶解し除去する。
【００１０】
また、前記経編レース地において、前記立体浮柄部の下側で柄糸を横振り挿入しても良い。ジャカード糸などの柄糸を横振り挿入することで、立体浮柄用糸が編み込まれる地組織が幅方向に狭まり、その分だけ立体浮柄用糸が上方に盛り上がる。更に経編レース地の裏面側に立体浮柄用糸が現れなくなり肌触りも良好になる。
【００１１】
また、前記経編レース地において、前記立体浮柄部の一部に、溶融温度が１８０℃以下である熱融着性の繊維を含む糸を編み込んでも良い。この場合、温水などで可溶性芯糸を溶解した後で熱融着性の繊維を溶融することで、立体浮柄用糸が地組織に強力に融着し糸の飛び出しなどを防止できる。
【００１２】
また、本発明は、前記経編レース地の製造方法として、地組織を編成する地筬より編機前側に柄筬を設けた多枚筬経編機により編成される経編レース地の製造方法において、地組織より経編レース地表側に配する立体浮柄用糸と可溶性芯糸による立体浮柄部を経編レース地の少なくとも一部に形成し、前記立体浮柄部では、前記立体浮柄用糸は、前記可溶性芯糸より経編レース地表側に配して該可溶性芯糸の上を横振りし押さえつけながら地組織に編み込まれる状態とし、前記可溶性芯糸は、地組織に直接編み込まれることなく前記立体浮柄用糸にて上から押さえつけられることで経編レース地に保持される状態とし、編成後に前記可溶性芯糸を溶解除去することを特徴とする。
【００１３】
これにより、従来の浮柄と比べると、本発明の立体浮柄部では、立体浮柄用糸が可溶性芯糸の上を横振りしその後可溶性芯糸を溶解除去するため、立体浮柄用糸が高く盛り上がり従来になく立体的な柄を表現できる。可溶性芯糸は立体浮柄用糸を盛り上げるのが目的であるので、通常の浮柄糸のように地組織に直接編み込まれるのではなく、従来の第３の方法の特殊浮柄用糸と同じように地組織に直接編み込まれずに立体浮柄用糸（従来の第３の方法では保持用糸にあたる）にて上から押さえつけられる状態の方が、可溶性芯糸に強い張力を掛けることができ、それにより立体浮柄用糸を高く盛り上げやすい。可溶性芯糸は簡単に抜けてしまう状態であり、また、見た目や触ったときの感触が悪いため編成後に溶解し除去する。
【発明の効果】
【００１４】
上記したように本発明の経編レース地は、編成後に溶解除去される可溶性芯糸と可溶性芯糸の上を横振りし編み込まれる立体浮柄用糸により、高く浮き上がりやわらかく膨らんでいるような立体浮柄部を少なくとも一部に有することができ、従来になく柄を立体的に浮き上がらせたデザイン性に優れたものとすることができる。また、浮柄用糸として特殊な糸を使用する必要が無い。
【発明を実施するための最良の形態】
【００１５】
次に、本発明の実施の形態を図面に示す実施例に基づいて説明するが、本発明は、実施例のものには限定されることはなく、特許請求範囲を逸脱しない範囲において種々の実施が可能である。本発明にかかる経編レース地Ａは、地組織を編成する１枚以上の地筬のほかに、柄編成のための複数枚、多い場合は数十枚もしくはそれ以上の柄筬を、地筬より編機前側に備えた経編機により編成される。
【００１６】
図１は本発明の第１実施例の経編レース地を示す拡大平面図である。図２は同上の経編レース地の編成時の立体浮柄部のラッピング状態を示す組織図である。図３は同上の経編レース地の編成時の立体浮柄部の編組織を示す模式図である。図４は同上の経編レース地の編成時の立体浮柄部の斜視模式図である。
【００１７】
この経編レース地Ａは、地組織を編成する地糸４として３３ｄｔｅｘのナイロン糸を用い、立体浮柄用糸２ａとして２４４ｄｔｅｘのナイロン糸を用い、別の立体浮柄用糸２ｂとして２５２ｄｔｅｘのカチオン可染性ポリエステル糸を用い、可溶性芯糸３として１２４ｄｔｅｘの水溶性ビニロン糸を用いて立体浮柄部１を編成した。その他、浮柄糸と、地糸より後ろ側に配される通常の柄糸と、ジャカード筬により導糸されるジャカード糸と、経編レース地に伸縮性を付与する弾性糸を用いて編成しても良い。なお、図１は編成後に可溶性芯糸を溶解除去してある。
【００１８】
本発明の実施例の経編レース地を編成する経編機としてはカールマイヤー社製ラッシェル機（ＭＲＳＥＪＦ５４／１／２４、２４ゲージ）を用いた。この経編機には、立体浮柄用糸２や可溶性芯糸３などを導糸する柄筬と地糸４を導糸する地筬との間に、落下板が設けられている。各糸の配列順は、経編機前側より、立体浮柄用糸２、可溶性芯糸３、地糸４となる。地糸４より表側で編目を形成する立体浮柄用糸２は、落下板の作用により挿入組織（フォールプレートラップ）に変わる。これは立体浮柄用糸２が、図２の糸の動きを示すラッピング組織図では編目を形成しているが、図３の実物に近い編組織の模式図ではフォールプレートラップで地糸４に挿入されていることで理解できよう。
【００１９】
図２及び図３に示すように、立体浮柄用糸２は、少なくとも隣のウエールに移行しジグザク状に横振りし、地糸４にフォールプレートラップにて挿入されて編み込まれている。一方、可溶性芯糸３は、地糸４には直接編み込まれず、横振りする立体浮柄用糸２と地糸４の間に挟みこまれることで、経編レース地に保持された格好となる。これは、編目形成糸（地糸）より編機表側の挿入糸（可溶性芯糸）は、編目形成糸（地糸）に編み込まれないからである。立体浮柄用糸は、編目形成糸（地糸）より経編機前側に配されるが、通常の挿入組織ではなくフォールプレートラップであるので、編目形成糸（地糸）に編み込まれる。そして挿入糸（可溶性芯糸）は、編目形成糸（地糸）とフォールプレートラップ糸（立体浮柄用糸）の間に挟み込まれる。立体浮柄部では、可溶性芯糸３の上を立体浮柄用糸２が横振りするので立体浮柄用糸２が可溶性芯糸３の上に乗った状態となる。
【００２０】
すなわち、立体浮柄部においては、可溶性芯糸３に強い張力を与えることで直接影響を受けるのは立体浮柄用糸２だけであり、地組織を形成する地糸４が切れて編成が困難になることはない。通常、立体浮柄用糸２は地糸４よりも太い糸を使用するため糸が切れにくく、可溶性芯糸３に強めの張力を掛けることができる。図４に示すように、可溶性芯糸３は地組織１０に編み込まれていない状態なので、可溶性芯糸３に強い張力を掛けるほど可溶性芯糸３は上方に浮き上がり、その上を幅方向（図中のＷ方向）に横振りする立体浮柄用糸２も高く浮き上がる。
【００２１】
編成後の染色加工の際に可溶性芯糸を温水により溶解除去するが、溶解除去後も一旦高く浮き上がった立体浮柄用糸の状態は維持される。図１の経編レース地は可溶性芯糸を溶解除去し熱セットした後の状態であるが、可溶性芯糸を溶解除去する前と立体浮柄用糸の浮き上がり状態は変わらない。
【００２２】
図５は本発明の第２実施例の経編レース地の編成時の立体浮柄部のラッピング組織を示す組織図である。図６は同上の経編レース地の編成時の立体浮柄部の斜視模式図である。この実施例は立体浮柄部において、地組織より後ろ側の柄糸５である３３ｄｔｅｘのナイロン糸により、横振り挿入している点のみが第１実施例と相違する。この場合、柄糸５はジャカード筬と柄筬のどちらによって導糸されていても良い。
【００２３】
図５に示すように、立体浮柄部において、柄糸５を立体浮柄用糸２の編成箇所と同じ箇所にて横振り挿入することで、立体浮柄用糸２が編み込まれている地組織を幅方向（図中のＷ方向）に締めつけることができ、それにより立体浮柄用糸２の振り幅が狭まり、狭まった分が上方に移動してより盛り上がる。更に、立体浮柄用糸２はフォールプレートラップするため、経編レース地裏面の肌触りがあまり良くないものだが、柄糸５の横振り挿入により立体浮柄用糸２が経編レース地裏面に現れなくなり、肌触りも良好になる。この場合、柄糸５にはナイロン糸に限らず任意の糸を使用することが可能で、ポリエステル糸やレーヨン糸や綿糸やポリウレタン糸などを用いても良い。立体浮柄用糸２が第１実施例より盛り上がる状態を図６に示す。第１実施例の同様な図４と比較すると、立体浮柄用糸２が地組織１０に編み込まれる箇所の幅方向（図中のＷ方向）の間隔が狭くなり、その分上方向に盛り上がっている。この状態は可溶性芯糸３を溶解除去した後も変わらない。
【００２４】
また、立体浮柄部での立体浮柄用糸は、従来の浮柄糸より高く盛り上がる分、糸が引っ掛かり飛び出る危険性が増すので、糸が引っ掛かっても飛び出ないよう、立体浮柄用糸自体、あるいは立体浮柄用糸と接する糸に、溶融温度が１８０℃以下の熱融着性の繊維を含む糸を用いても良い。例えば、溶融温度が１６０℃で繊度が５６ｄｔｅｘの低融点ナイロン糸を柄筬にて導糸し、立体浮柄用糸と同じ箇所に編み込まれるように挿入して経編レース地を編成する。その後、染色加工の際に可溶性芯糸を温水で溶解除去した後、１８５℃で熱セットして低融点ナイロン糸を溶融して立体浮柄用糸と地糸を融着することで、立体浮柄用糸の飛び出しを防止できる。
【００２５】
また、立体浮柄用糸は、立体浮柄部以外では可溶性芯糸の上を横振りする必要はなく、可溶性芯糸から離れて通常の浮柄を形成しても良い。また、可溶性芯糸も立体浮柄部以外では地組織に直接編み込まれていない状態である必要はなく、フォールプレートラップや編目形成を行い、直接地組織に編み込まれていても良い。
【００２６】
図７は、本発明の経編レース地の編成時の立体浮柄用糸２と可溶性芯糸３の組織のバリエーションを示している。地組織を形成する地糸など他の糸は図が見づらくなるため図示していない。立体浮柄部１となる部分では、立体浮柄用糸２は、可溶性芯糸３の上を２ウエール間横渡りしながらフォールプレートラップし地組織に編み込まれる状態であり、可溶性芯糸３は、フォールプレートラップをせず地組織に直接編み込まれず、立体浮柄用糸２にて上から押さえつけられて地組織との間に挟みこまれて経編レース地に保持される状態である。従来の浮柄となる部分６では、立体浮柄用糸２は、任意の位置でフォールプレートラップし浮柄を形成して地組織に編み込まれる状態であり、可溶性芯糸３も立体浮柄用糸２に重ならない任意の位置でフォールプレートラップし地組織に編み込まれる状態である。この場合、可溶性芯糸３は必ずしもフォールプレートラップをしなければならないわけではないが、フォールプレートラップをせずに経編レース地に保持されない状態が長く続きすぎると、可溶性芯糸３が加工工程の際に引っ掛かるなどの不都合が生じる恐れがある。また、その際可溶性芯糸３は、立体浮柄部１と従来の浮柄部６のどちらでも編成できるように、張力を調整して編まなければならない。なお、図示していないが、複数本の立体浮柄用糸２にて１本又は複数本の可溶性芯糸３の上を同時に横振りして立体浮柄部１を形成してもよく、逆に複数本の可溶性芯糸３の上を１本又は複数本の立体浮柄用糸２にて横振りしても良い。
【００２７】
本発明を実施するにあたって、立体浮柄用糸は、ナイロン糸やポリエステル糸である必要はなく、綿糸やレーヨン糸など任意の糸を使用することができ、糸の太さにも制限はないが、細すぎると立体感に欠け、あまり太いと肌触りが悪くなり編成もしづらくなるため、繊度は４４〜７００ｄｔｅｘが望ましい。また、可溶性芯糸は、水溶性ビニロン糸である必要はなく、特定の作用で完全に溶ける糸であれば任意の糸を使用することができ、糸の太さにも制限はないが、細すぎると十分に立体浮柄用糸を持ち上げることができず、太すぎても効果はあまり変わらないため、繊度は４４〜３００ｄｔｅｘが望ましい。なお、立体浮柄部の立体浮柄用糸をフォールプレートラップでなく編目形成にて編成することも可能であるが、フォールプレートラップと比べると編成のし易さでやや劣る。また、立体浮柄部は、経編レース地の任意の箇所に設けることができ、経編レースの一部に設けても良いし、あるいは経編レース地の全領域に設けても良い。例えば、経編レース地縁部のピコットを立体浮柄部で形成することも可能である。
【００２８】
図８は、本発明の経編レース地Ａをショーツの前身頃部７に使用した例を示している。立体浮柄部１ａと１ｂがライン状に配されており、立体浮柄部１ａと１ｂの外観の違いは、それぞれの立体浮柄用糸の太さを変えたり、それぞれの立体浮柄用糸の振り幅を変えたりするなどして表現可能である。
【００２９】
図９は本発明の経編レース地Ａをブラジャーのカップ部８に使用した例を示している。この柄は、図７の立体浮柄部１と同様な立体浮柄部１ｃと、図７の従来の浮柄となる部分６と同様な従来浮柄部６ａとが連続することで柄形成されている。すなわち、立体浮柄部１ｃにおいては、立体浮柄用糸は可溶性芯糸の上を横振りしフォールプレートラップにて地組織に編み込まれており、可溶性芯糸は地組織に直接編み込まれず立体浮柄糸にて押さえつけられた後溶解除去されており、従来浮柄部６ａにおいては、立体浮柄用糸は可溶性芯糸が配されていない箇所を横振りしフォールプレートラップにて地組織に編みこまれており、可溶性芯糸は立体浮柄用糸にて押さえつけられることなくフォールプレートラップにて直接地組織に編み込まれた後、溶解除去されている。
【産業上の利用可能性】
【００３０】
本発明は、ブラジャー、ショーツ、キャミソール等の女性用下着やアウターを始めとする各種衣料に好適に利用できる。
【図面の簡単な説明】
【００３１】
【図１】本発明の経編レース地の１実施例を示す拡大平面図である。
【図２】同上の経編レース地のラッピング状態を示す組織図である。
【図３】同上の経編レース地の編組織を示す模式図である。
【図４】同上の経編レース地の立体浮柄部の斜視模式図である。
【図５】本発明の経編レース地の他の実施例のラッピング状態を示す組織図である。
【図６】同上の経編レース地の立体浮柄部の斜視模式図である。
【図７】立体浮柄用糸と可溶性芯糸のラッピング状態を示す組織図である。
【図８】本発明の経編レース地のショーツでの使用例を示す略示正面図である。
【図９】本発明の経編レース地のブラジャーでの使用例を示す略示斜視図である。
【図１０】従来の技術に基づく経編レース地の拡大平面図である。
【図１１】同上の経編レース地の編組織を示す模式図である。
【図１２】同上の経編レース地の通常浮柄部の斜視模式図である。
【図１３】従来の技術に基づく他の経編レース地の拡大平面図である。
【図１４】同上の経編レース地の編組織を示す模式図である。
【図１５】同上の経編レース地の特殊浮柄部の斜視模式図である。
【符号の説明】
【００３２】
Ａ…経編レース地、１…立体浮柄部、２…立体浮柄用糸、３…可溶性芯糸、４…地糸、５…柄糸、６…従来の浮柄部、７…ショーツ前身頃部、８…ブラジャーカップ部、９…浮柄糸、１０…地組織、１１…特殊浮柄部、１２…特殊浮柄用糸、１３…保持用糸
【図１】
2010106411.tif 000003
【図２】
2010106411.tif 000004
【図３】
2010106411.tif 000005
【図４】
2010106411.tif 000006
【図５】
2010106411.tif 000007
【図６】
2010106411.tif 000008
【図７】
2010106411.tif 000009
【図８】
2010106411.tif 000010
【図９】
2010106411.tif 000011
【図１０】
2010106411.tif 000012
【図１１】
2010106411.tif 000013
【図１２】
2010106411.tif 000014
【図１３】
2010106411.tif 000015
【図１４】
2010106411.tif 000016
【図１５】
2010106411.tif 000017